(57)【要約】【課題】振動が多い環境下での使用でも、異常摩耗、焼付き、異音発生等の発生を低減すること。【解決手段】本スラストころ軸受は、二枚の保持器２，３の端部を半径方向内外に折り重なるよう曲げ加工すると共に、一方の保持器３の端部の先端部分３ｆがかしめられる他方の保持器２の被かしめ面２ｆに凹部２ｇを設け、一方の保持器３の先端部分３ｆのかしめつけにより該先端部分３ｆの一部に上記凹部２ｇに沿う凸部３ｇを設け、両保持器２，３を凹部２ｇと凸部３ｇの係合により円周方向に位置決めしている。【選択図】図３
2007064428.tif 000002
【特許請求の範囲】
【請求項１】
軸方向二枚の保持器それぞれの円周方向複数の柱部間の空孔をころ保持窓となし、上下一対のころ保持窓に形成されたころ保持部でころを挟持するスラストころ軸受において、両保持器の端部を半径方向内外に折り重なるよう曲げ加工し、一方の保持器の端部の先端部分がかしめられる他方の保持器の端面に対しその円周方向の少なくとも１箇所に凹部を設けると共に上記一方の保持器の端部の先端部分のかしめつけにより当該先端部分の一部に上記凹部に沿う凸部を設け、両保持器を上記凹部と凸部の係合により円周方向に位置決めしている、ことを特徴とするスラストころ軸受。
【請求項２】
上記凹部の円周方向中心位置を円周方向２つのころ保持窓間の柱部に設定している、ことを特徴とする請求項１に記載のスラストころ軸受。
【発明の詳細な説明】
【技術分野】
【０００１】
本発明は、自動車のオートマチックトランスミッション等に用いるスラストころ軸受に関する。
【背景技術】
【０００２】
図１２ないし図１５を参照して従来のスラストころ軸受を説明する。図１２はスラストころ軸受の部分平面図、図１３は図１２の（１３）−（１３）線断面図、図１４は図１３の（１４）−（１４）線断面図、図１５は図１３の円で囲む部分を拡大して示す図である。図１３において図中の上下方向を軸方向といい、左右方向を半径方向という。スラストころ軸受は、複数のころ１と、これら複数のころ１を円周方向において所定ピッチで保持する軸方向上下二枚の保持器２，３とから構成されている。両保持器２，３は、円周方向等間隔に有する柱部２ｃ，３ｃ間の空孔を半径方向においてころ長よりも長い複数のころ保持窓２ｄ，３ｄとなし、複数のころ保持窓２ｄ，３ｄで形成したころ保持部でころ１を軸方向で挟持している。
【０００３】
下側保持器２の外径側端部２ａは半径方向外側に延出され、上側保持器３の外側端部３ａは下向きに折曲げられて下側保持器２の外側端部２ａに軸方向に重ね合わせられる。下側保持器２の内径側端部２ｂは上側に折曲げられ上側保持器３の内径側端部３ｂは下側に折り曲げられ下側保持器２の内径側端部２ｂの内端面に内径側から重ね合わされるとともに、上側保持器３の内径側端部３ｂの先端部分３ｆは下側保持器２の内径側端部２ｂの被かしめ面２ｆに重ね合わせられてかしめつけられる。
【０００４】
図１６および図１７を参照して上記構成を備えたスラストころ軸受の課題を説明する。図１６はスラストころ軸受の部分平面図、図１７は図１６の（１７）−（１７）線に沿う断面図である。上側保持器３と下側保持器２との二枚構成であるスラストころ軸受では、ころ１を上側と下側のころ保持部間で挟持しているので、上側と下側それぞれで円周方向において所定ピッチで設けられているころ保持窓３ｄ，２ｄは円周方向にずれないよう位置あわせすることが必要である。上側と下側のころ保持窓３ｄ，２ｄが図１６、図１７で示すように円周方向に位置ずれした場合では、ころ１がころ保持窓３ｄ，２ｄの内面に摺動することにより異常摩耗、焼付き、異音発生等の不具合を来たす。
【０００５】
しかしながら、従来のスラストころ軸受においては、上側保持器３と下側保持器２とが上側保持器３の内径側端部３ｂの先端部分３ｆが下側保持器２の内径側端部２ｂの被かしめ面２ｆにかしめつけただけであるから、自動車のオートマチックトランスミッション等の振動が多い環境下に組み込まれていると、その振動により上側保持器３と下側保持器２とが円周方向にずれてしまい、上側と下側のころ保持窓３ｄ，２ｄが容易に位置ずれするおそれがある。
【０００６】
このような位置ずれは、スラストころ軸受の異常摩耗、焼付き、異音等の発生の要因になるという課題がある。
【特許文献１】特公昭４０―００４３６７
【特許文献２】特開平０５―１８０２１８
【発明の開示】
【発明が解決しようとする課題】
【０００７】
したがって、本発明により解決すべき課題は、上側と下側の保持器のうち一方の保持器の端部先端が他方の保持器の被かしめ面にかしめつけている場合に、振動等によりそのかしめ状態を強固に保持可能となして、上側と下側のころ保持窓が位置ずれしないようにすることである。
【課題を解決するための手段】
【０００８】
本発明によるスラストころ軸受は、軸方向二枚の保持器それぞれの円周方向複数の柱部間の空孔をころ保持窓となし、上下一対のころ保持窓に形成されたころ保持部でころを挟持するスラストころ軸受において、両保持器の端部を半径方向内外に折り重なるよう曲げ加工すると共に、一方の保持器の端部の先端部分がかしめられる他方の保持器の端面に対しその円周方向の少なくとも１箇所に凹部を設けると共に上記一方の保持器の端部の先端部分のかしめつけにより当該先端部分の一部に上記凹部に沿う凸部を設け、両保持器を上記凹部と凸部の係合により円周方向に位置決めしていることを特徴とするものである。
【０００９】
本発明のスラストころ軸受においては、両保持器が凹部と凸部とにより係合しているので、振動が多い環境下に使用されても両保持器が円周方向に位置ずれすることがないから、両保持器が円周方向に位置ずれすることに起因した異常摩耗、焼付き、異音等を防止することができる。
【００１０】
上記凹部の円周方向中心位置を円周方向２つのころ保持窓間の柱部に設定していることが好ましい。
【００１１】
上記凹部をころ保持窓よりも半径方向内側に設定していることが好ましい。
【発明の効果】
【００１２】
本発明によれば、振動が多い環境下での使用でも、異常摩耗、焼付き、異音発生等の発生を低減することができる。
【発明を実施するための最良の形態】
【００１３】
以下、添付した図面を参照して、本発明の実施の形態に係るスラストころ軸受を説明する。
【００１４】
図１ないし図３を参照して実施の形態のスラストころ軸受を説明する。図１は同スラストころ軸受の部分平面図、図２は図１の（２）−（２）線断面図、図３は図１の（３）−（３）線断面図である。図２において図中の上方向を軸方向上側、下方向を軸方向下側、左方向を外径側、右方向を内径側という。実施の形態のスラストころ軸受は、複数のころ１と、二枚の円環状をなす下側保持器２と上側保持器３とを備える。下側保持器２と上側保持器３それぞれは外径側端部２ａ，３ａと内径側端部２ｂ，３ｂとを備え、外径側端部２ａ，３ａと内径側端部２ｂ，３ｂとの間に円周方向複数の柱部２ｃ，３ｃが橋架され、これら柱部２ｃ，３ｃ間の空孔はころ保持窓２ｄ，３ｄとなっている。複数のころ１は、ころ保持窓２ｄ，３ｄに保持されている。下側保持器２と上側保持器３それぞれの外径端部２ａ，３ａは、外径方向に延び互いに軸方向で掌合されている。下側保持器２の内径側端部２ｂは、軸方向上側に折曲げられ、上側保持器３の内径側端部３ｂは軸方向下側に折曲げられ下側保持器２の内径側端部２ｂの端面に折り重ねられている。上側保持器３の内径側端部３ｂの環状をなす先端部分３ｆは下側保持器２の内径側端部２ｂの外端面の環状をなす被かしめ面２ｆにかしめつけられる。
【００１５】
図４および図５を参照して下側保持器２の内径側端部２ｂの被かしめ面２ｆを説明する。図４は図３の円Ａで囲む部分を拡大して示す断面図、図５は図４の（５）−（５）線に沿う部分の断面図である。この被かしめ面２ｆは柱部２ｃの内径側端から内径側端部２ｂを軸方向上側に略垂直に折り曲げていく途中の曲面状をなす外周面である。この被かしめ面２ｆに凹部２ｇが形成されている。上側保持器３の内径側端部３ｂの先端部分３ｆにはその凹部２ｇに対応した凸部３ｇが形成されている。下側保持器２と上側保持器３はその凹部２ｇと凸部３ｇとの嵌合により円周方向の位置ずれが防止される。
【００１６】
図６および図７を参照して下側保持器２の内径側端部２ｂの凹部２ｇの形状とその形成位置について説明する。図６は下側保持器２を下側から見た平面図、図７は図６の要部を拡大して示す図である。凹部２ｇは、その円周方向幅の中央が円周方向に隣接する柱部２ｃの中間に位置し、かつ、半径方向外端はころ保持窓２ｄの半径方向内端よりも半径方向内側に位置することが、当該凹部２ｇが柱部２ｃの強度に影響しないうえで好ましい。実施の形態では凹部２ｇの円周方向両端はころ保持窓２ｄの半径方向内側にかかるように位置しているが、柱部２ｃの強度を考慮すると、凹部２ｇの円周方向両端はころ保持窓２ｄの半径方向内側に位置しないことが望ましい。凹部２ｇの平面視形状は台形状になっているが、この形状に限定されるものではなく山形状やその他の形状でもよい。凹部２ｇは、下側保持器２を打ち抜きや曲げ加工等のプレス加工により成形するときに同時に形成することができる。
【００１７】
図８および図９を参照して上側保持器３の内径側端部３ｂの凸部３ｇの形成について説明する。図８は上側保持器３を下側から見た平面図、図９は図８の要部を拡大して示す図である。図８および図９では上側保持器３を下側保持器２と分離して示しているが、実際は下側保持器２の被かしめ面２ｆに上側保持器３の内径側端部３ｂの先端部分３ｆをかしめることにより、上側保持器３は下側保持器２に円周方向に位置ずれしないよう非分離にされている。この凸部３ｇは、上側保持器３の内径側端部３ｂの先端部分３ｆを下側保持器２の内径側端部２ｂの被かしめ面２ｆにローリングかしめによりかしめつけるときにその先端部分３ｆの凹部３ｇに対応する部分が凹部３ｇ側に膨出して形成されたものである。
【００１８】
以上説明したように実施の形態のスラストころ軸受においては、振動の厳しい環境下で用いられても下側保持器２と上側保持器３は互いの凹部２ｇと凸部３ｇの係合により円周方向に位置ずれすることがないから、両保持器２，３の円周方向の位置ずれを起因としたころ１や保持器２，３の異常摩耗、焼付き、異音発生等の不具合を来たすおそれが防止できる。
【００１９】
なお、凹部２ｇは、被かしめ面２ｆの円周方向の少なくとも１箇所であればよいが、もちろん２箇所以上の複数の箇所に形成することができる。また、凹部２ｇの形成個数は奇数、偶数を問わない。
【００２０】
図１０を参照して他の実施の形態に係るスラストころ軸受を説明すると、このスラストころ軸受においては、下側保持器２の外径側端部２ａを軸方向上側に折曲げるとともに、その折曲げた被かしめ面２ｆに凹部２ｇを形成し、上側保持器３の外径側端部３ａを軸方向下側に折曲げて下側保持器２の外径側端部２ａに折り重ねるとともに、その外径側端部３ａの先端部分３ｆを被かしめ面２ｆにかしめることによりその先端部分３ｆの一部を上記凹部２ｇ側に膨出させて当該凹部２ｇに嵌合する凸部３ｇを形成したものである。この図１０に示すスラストころ軸受においても、振動が多く発生する厳しい環境下で使用されても下側保持器２と上側保持器３の外径側端部２ａ，３ａの凹部２ｇと凸部３ｇとの嵌合により円周方向の位置ずれが防止される。
【００２１】
図１１を参照してさらに他の実施の形態に係るスラストころ軸受を説明すると、このスラストころ軸受においては、下側保持器２の外径側端部２ａと内径側端部２ｂを共に軸方向上側に折曲げるとともに、その折曲げた被かしめ面２ｆに凹部２ｇを形成し、上側保持器３の外径側端部３ａと内径側端部３ｂを共に軸方向下側に折曲げて下側保持器２の外径側端部２ａと内径側端部２ｂそれぞれに折り重ねるとともに、上側保持器３の外径側端部３ａと内径側端部３ｂそれぞれの先端部分３ｆを内径側と外径側それぞれの被かしめ面２ｆにかしめることによりその一部を上記凹部２ｇ側に膨出させて当該凹部２ｇに嵌合する凸部３ｇを形成したものである。この図１１に示すスラストころ軸受においても、振動が多く発生する厳しい環境下で使用されても下側保持器２と上側保持器３の凹部２ｇと凸部３ｇとの嵌合により円周方向の位置ずれが防止される。
【図面の簡単な説明】
【００２２】
【図１】図１は本発明の実施の形態に係るスラストころ軸受の部分平面図である。
【図２】図２は図１の（２）−（２）線断面図である。
【図３】図３は図１の（３）−（３）線断面図である。
【図４】図４は図２の円Ａで囲む部分を拡大して示す断面図である。
【図５】図５は図４の（５）−（５）線に沿う部分の断面図である。
【図６】図６は下側保持器を下側から見た平面図である。
【図７】図７は図６の要部を拡大して示す図である。
【図８】図８は上側保持器を下側から見た平面図である。
【図９】図９は図８の要部を拡大して示す図である。
【図１０】図１０は本発明の他の実施の形態に係るスラストころ軸受の断面図である。
【図１１】図１１は本発明のさらに他の実施の形態に係るスラストころ軸受の断面図である。
【図１２】図１２は従来のスラストころ軸受の部分平面図である。
【図１３】図１３は、図１２の（１３）−（１３）線断面図
【図１４】図１４は、図１３の（１４）−（１４）線断面図である。
【図１５】図１５は、図１３の円で囲む部分を拡大して示す図である。
【図１６】図１６は、従来のスラストころ軸受の課題の説明に供する部分平面図である。
【図１７】図１７は、図１６の（１７）−（１７）線に沿う断面図である。
【符号の説明】
【００２３】
１    ころ
２    下側保持器
２ａ  外径側端部
２ｂ  内径側端部
２ｃ  柱部
２ｄ  ころ保持窓
２ｅ  ころ保持部
２ｆ  被かしめ面
２ｇ  凹部
３    上側保持器
３ａ  外径側端部
３ｂ  内径側端部
３ｃ  柱部
３ｄ  ころ保持窓
３ｅ  ころ保持部
３ｆ  先端部分
３ｇ  凸部
【図１】
2007064428.tif 000003
【図２】
2007064428.tif 000004
【図３】
2007064428.tif 000005
【図４】
2007064428.tif 000006
【図５】
2007064428.tif 000007
【図６】
2007064428.tif 000008
【図７】
2007064428.tif 000009
【図８】
2007064428.tif 000010
【図９】
2007064428.tif 000011
【図１０】
2007064428.tif 000012
【図１１】
2007064428.tif 000013
【図１２】
2007064428.tif 000014
【図１３】
2007064428.tif 000015
【図１４】
2007064428.tif 000016
【図１５】
2007064428.tif 000017
【図１６】
2007064428.tif 000018
【図１７】
2007064428.tif 000019